(57)【要約】【課題】  従来の動画撮影モードは、記録する動画のフレームレートに依らず音声処理の設定が固定で、動画像ファイルの容量を考慮したものではなかった。【解決手段】  本発明に係る電子カメラは、動画像を所定のフレームレートで撮影する動画撮影部と、前記動画撮影部で動画像を撮影中に入力する音声を所定の設定でデジタル信号に変換する音声取得部と、前記動画撮影部で撮影する動画像のフレームレートに応じて、前記音声取得部で音声をデジタル信号に変換する際の設定を可変する制御部とを有することを特徴とする。【選択図】    図１
2010068028.tif 000002
【特許請求の範囲】
【請求項１】
動画像を所定のフレームレートで撮影する動画撮影部と、
前記動画撮影部で動画像を撮影中に入力する音声を所定の設定でデジタル信号に変換する音声取得部と、
前記動画撮影部で撮影する動画像のフレームレートに応じて、前記音声取得部で音声をデジタル信号に変換する際の設定を可変する制御部と
を有することを特徴とする電子カメラ。
【請求項２】
請求項１に記載の電子カメラにおいて、
前記制御部は、前記動画撮影部で撮影する動画像のフレームレートに応じて、前記音声取得部でデジタル信号に変換する音声のサンプリングレートおよび量子化ビット数の少なくとも一方を可変する
ことを特徴とする電子カメラ。
【請求項３】
請求項２に記載の電子カメラにおいて、
前記制御部は、
前記動画像のフレームレートが遅い場合は、前記音声取得部で音声をデジタル信号に変換する際に、低いサンプリングレートあるいは少ない量子化ビット数の少なくとも一方の選択を行い、
前記動画像のフレームレートが速い場合は、前記音声取得部で音声をデジタル信号に変換する際に、高いサンプリングレートあるいは多い量子化ビット数の少なくとも一方の選択を行う
ことを特徴とする電子カメラ。
【請求項４】
請求項２に記載の電子カメラにおいて、
前記制御部は、
前記動画像のフレームレートが遅い場合は、前記音声取得部で音声をデジタル信号に変換する際に、サンプリングレートの現在値より低くする制御あるいは量子化ビット数の現在値より少なくする制御の少なくとも一方の制御を行い、
前記動画像のフレームレートが速い場合は、前記音声取得部で音声をデジタル信号に変換する際に、サンプリングレートの現在値より高くする制御あるいは量子化ビット数の現在値より多くする制御の少なくとも一方の制御を行う
ことを特徴とする電子カメラ。
【請求項５】
請求項１から請求項４のいずれか一項に記載の電子カメラにおいて、
前記動画撮影部で撮影する動画像のフレームレートの設定と、前記音声取得部でデジタル信号に変換する音声のサンプリングレートおよび量子化ビット数の少なくとも一方の設定との関係を示すテーブルを設け、
前記制御部は、前記テーブルを参照して、動画像のフレームレートに対応する音声のサンプリングレートおよび量子化ビット数の少なくとも一方を設定する
ことを特徴とする電子カメラ。
【請求項６】
請求項５に記載の電子カメラにおいて、
前記テーブルは、画像のフレームレートを優先する画像優先モード用テーブルと、音質を優先する音声優先モード用テーブルとで構成し、
前記画像優先モード用テーブルまたは前記音声優先モード用テーブルを選択する選択手段を更に設けた
ことを特徴とする電子カメラ。
【発明の詳細な説明】
【技術分野】
【０００１】
本発明は、動画像と音声を記録する電子カメラに関する。
【背景技術】
【０００２】
動画像と音声を記録する電子カメラが普及している。このような電子カメラは、動画像を撮影する際の撮影モード（画像サイズやフレームレート）を選択できるようになっているが、音声の記録方式は同じ場合が多い。そこで、コンサート撮影、会議撮影、風景撮影など、様々な動画撮影シーンに対応した複数の録音設定ができるようにした電子カメラが考えられている（例えば、特許文献１参照）。
【特許文献１】特開２００６−２１７１１１号公報
【発明の開示】
【発明が解決しようとする課題】
【０００３】
ところが、従来技術では、撮影モードに対応した録音設定を選択することで様々な動画撮影シーンに適した音声録音が可能になるが、記録媒体に動画像と音声を記録する際のファイル容量を考慮したものではなかった。或いは、音声を記録する際の録音設定を手動で変更する必要があった。
【０００４】
本発明の目的は、動画像と音声を記録する電子カメラにおいて、撮影する動画像のフレームレートに応じて記録するファイル容量を削減することが可能な電子カメラを提供することである。
【課題を解決するための手段】
【０００５】
本発明に係る電子カメラは、動画像を所定のフレームレートで撮影する動画撮影部と、前記動画撮影部で動画像を撮影中に入力する音声を所定の設定でデジタル信号に変換する音声取得部と、前記動画撮影部で撮影する動画像のフレームレートに応じて、前記音声取得部で音声をデジタル信号に変換する際の設定を可変する制御部とを有することを特徴とする。
【０００６】
また、好ましくは、前記制御部は、前記動画撮影部で撮影する動画像のフレームレートに応じて、前記音声取得部でデジタル信号に変換する音声のサンプリングレートおよび量子化ビット数の少なくとも一方を可変することを特徴とする。
【０００７】
また、好ましくは、前記制御部は、前記動画像のフレームレートが遅い場合は、前記音声取得部で音声をデジタル信号に変換する際に、低いサンプリングレートあるいは少ない量子化ビット数の少なくとも一方の選択を行い、前記動画像のフレームレートが速い場合は、前記音声取得部で音声をデジタル信号に変換する際に、高いサンプリングレートあるいは多い量子化ビット数の少なくとも一方の選択を行うことを特徴とする。
【０００８】
また、好ましくは、前記制御部は、前記動画像のフレームレートが遅い場合は、前記音声取得部で音声をデジタル信号に変換する際に、サンプリングレートの現在値より低くする制御あるいは量子化ビット数の現在値より少なくする制御の少なくとも一方の制御を行い、前記動画像のフレームレートが速い場合は、前記音声取得部で音声をデジタル信号に変換する際に、サンプリングレートの現在値より高くする制御あるいは量子化ビット数の現在値より多くする制御の少なくとも一方の制御を行うことを特徴とする。
【０００９】
また、好ましくは、前記動画撮影部で撮影する動画像のフレームレートの設定と、前記音声取得部でデジタル信号に変換する音声のサンプリングレートおよび量子化ビット数の少なくとも一方の設定との関係を示すテーブルを設け、前記制御部は、前記テーブルを参照して、動画像のフレームレートに対応する音声のサンプリングレートおよび量子化ビット数の少なくとも一方を設定することを特徴とする。
【００１０】
また、好ましくは、前記テーブルは、動画像のフレームレートを優先する画像優先モード用テーブルと、音質を優先する音声優先モード用テーブルとで構成し、前記画像優先モード用テーブルまたは前記音声優先モード用テーブルを選択する選択手段を更に設けたことを特徴とする。
【発明の効果】
【００１１】
本発明によれば、動画像と音声を記録する電子カメラにおいて、動画像のフレームレートに応じて自動的に音声のサンプリングレートおよび量子化ビット数の少なくとも一方を可変するので、撮影する動画像のフレームレートに応じて記録する動画像ファイルの容量を削減することができる。
【発明を実施するための最良の形態】
【００１２】
以下、本発明に係る電子カメラに関する実施形態について図面を用いて詳しく説明する。
【００１３】
（第１の実施形態）
図１は、第１の実施形態に係る電子カメラ１０１の構成を示すブロック図である。尚、本実施形態に係る電子カメラ１０１は、動画像と音声とを同時に記録する動画撮影モードを有している。
【００１４】
図１において、電子カメラ１０１は、撮影光学系１０２と、撮像素子１０３と、ＡＦＥ（アナログフロントエンド）１０４と、バッファメモリ１０５と、画像処理部１０６と、システムバス１０７と、フラッシュメモリ１０８と、ＣＰＵ１０９と、記録ＩＦ１１０と、モニタ駆動部１１１と、液晶モニタ１１２と、操作部１１３と、ＴＧ（タイミングジェネレータ）１１４と、マイク１１５と、音声入力部１１６と、Ａ／Ｄ変換部１１７と、音声処理部１１８とで構成される。
【００１５】
被写体から入射する光は撮影光学系１０２を介して撮像素子１０３の受光面に結像される。
【００１６】
撮像素子１０３の受光面には光電変換部が二次元状に配置され、結像された光を電気信号に変換し、ＡＦＥ１０４に出力する。
【００１７】
ＡＦＥ１０４は、撮像素子１０３が出力する電気信号のノイズ除去や増幅などを行った後、Ａ／Ｄ変換する。Ａ／Ｄ変換されたデジタルの画像データは、バッファメモリ１０５に一時的に記憶される。
【００１８】
画像処理部１０６は、バッファメモリ１０５に一時的に記憶された画像データのホワイトバランス処理や色補間処理、およびＪＰＥＧ規格などによる画像データの圧縮処理などを行い、撮影画像としてシステムバス１０７を介して記録Ｉ／Ｆ１１０に接続されているメモリカード１１０ｂに記憶する。尚、画像データをフラッシュメモリ１０８に記憶するようにしても構わない。
【００１９】
記録Ｉ／Ｆ１１０に接続されているメモリカード１１０ｂに記憶された画像データは、ＣＰＵ１０９の指令によって、読み出され、モニタ駆動部１１１を介して液晶モニタ１１２に画像が表示される。
【００２０】
液晶モニタ１１２には、例えば、静止画撮影モードにおいて、撮像素子１０３が時間的に連続して撮影するプレビュー画像や、操作部１１３のレリーズボタン２０２（後述する図２参照）が押下された際に、撮像素子１０３で本撮影された静止画像（本画像）が表示される。或いは、動画撮影モードにおいて、撮像素子１０３で予め設定された所定の解像度およびフレームレートで時間的に連続して撮影された動画像が液晶モニタ１１２に表示される。尚、電子カメラ１０１が動画撮影モードに設定されている場合は、操作部１１３のレリーズボタン２０２を押下すると動画撮影が開始され、再びレリーズボタン２０２を押下すると動画撮影が終了する。
【００２１】
ここで、各画像について定義しておく。プレビュー画像とは、静止画や動画の撮影待機時に撮影構図などを決めるために撮像素子１０３で時間的に連続して順次撮影される画像である。本画像とは、レリーズボタン２０２が押下された際に、撮像素子１０３で撮影される静止画像である。動画像とは、所定解像度および所定フレームレートで時間的に連続して撮影される一連の画像である。
【００２２】
フラッシュメモリ１０８は、電子カメラ１０１の撮影モードや撮影条件などの設定値が記憶される。また、ＣＰＵ１０９が処理する際の各種パラメータなども記憶され、ＣＰＵ１０９の動作に応じて記憶内容が更新される。特に、本実施形態では、動画撮影時のフレームレートや音声信号のサンプリングレートおよび量子化ビット数などが、動画撮影モードに応じて予め記憶されている。尚、これらの設定は、ユーザーが操作部材１１４を操作して、変更することができる。
【００２３】
ＣＰＵ１０９は、予め内部に記憶されたプログラムに従って動作し、電子カメラ１０１を統括的に制御するプロセッサである。
【００２４】
操作部１１３は、図２の電子カメラ１０１の外観図に示すように、電源ボタン２０１、レリーズボタン２０２、ズームボタン２０３、十字キー２０４（上キー２０４ａ，下キー２０４ｂ，左キー２０４ｃ，右キー２０４ｄ）、確定ボタン２０５などで構成される。ユーザーは、これらの操作ボタンを操作して電子カメラ１０１を操作する。また、これらの操作ボタンの操作情報は、ＣＰＵ１０９に出力される。そして、ＣＰＵ１０９は、操作部１１３から入力する操作情報に応じて、電子カメラ１０１の全体の動作を制御する。
【００２５】
ＴＧ１１４は、ＣＰＵ１０９の指示に応じて、撮像素子１０３およびＡＦＥ１０４に対してタイミング信号を出力する。例えば、スルー画像の撮影時は、撮像素子１０３からスルー画像の解像度に応じた画像信号を読み出すためのタイミング信号を出力する。また、本画像の撮影時は、撮像素子１０３から本画像の解像度に応じた画像信号を読み出すためのタイミング信号を出力する。また、動画像の撮影時は、撮像素子１０３から動画像の解像度およびフレームレートに応じて画像信号を読み出すためのタイミング信号を出力する。
【００２６】
次に、電子カメラ１０１において音声入力を行うための構成について説明する。動画撮影モードでは、先に説明したような時間的に連続した動画像の撮影と同時に音声信号を取り込む。図１において、マイク１１５から入力されるアナログ音声信号は、音声入力部１１６で増幅され、Ａ／Ｄ変換部１１７でデジタルの音声データに変換される。Ａ／Ｄ変換部１１７が出力する音声データは、バッファメモリ１０５に一時的に記憶される。そして、音声処理部１１８で所定の方式による音声圧縮などが行われ、画像データと共に所定の動画像ファイルとして記録Ｉ／Ｆ１１０に接続されているメモリカード１１０ｂに記憶される。尚、音声データや動画像ファイルをフラッシュメモリ１０８に記憶するようにしても構わない。
【００２７】
＜電子カメラ１０１の動作＞
次に、動画撮影モードにおける電子カメラ１０１の動作について説明する。本実施形態に係る電子カメラ１０１は、図３に示すように、動画モードＡ、動画モードＢ、動画モードＣの３つの動画モードを有している。本実施形態では、動画モードＡは、動画像のフレームレートが６０ｆｐｓ（フレーム／秒）で、音声のサンプリングレートが４４．１ｋＨｚ、量子化ビット数が１６ｂｉｔに設定されている。また、動画モードＢは、動画像のフレームレートが３０ｆｐｓで、音声のサンプリングレートが２２．０５ｋＨｚ、量子化ビット数が１２ｂｉｔに設定されている。さらに、動画モードＣは、動画像のフレームレートが１５ｆｐｓで、音声のサンプリングレートが１１．０２５ｋＨｚ、量子化ビット数が８ｂｉｔに設定されている。尚、これらの設定は、フラッシュメモリ１０８に予め記憶されている。
【００２８】
また、図３で設定される動画像の画素数は、例えば図４（ａ）に示すように、動画モードの種類によらず（６４０×４８０画素）の固定であっても構わないし、図４（ｂ）に示すように、動画モードの種類によって変えても構わない。例えば、図４（ｂ）の場合は、動画モードＡの（６４０×４８０画素）、動画モードＢの（３２０×２４０画素）、動画モードＣの（１６０×１２０画素）の３種類の画素数で構成される。
【００２９】
或いは、図５（ａ）に示すように、動画モードの種類によらず、音声のサンプリングレートを２２．０５ｋＨｚの固定にして量子化ビット数だけを変えても構わないし、図５（ｂ）に示すように、動画モードの種類によらず、音声の量子化ビット数を１６ｂｉｔの固定にしてサンプリングレートだけを変えても構わない。
【００３０】
尚、フラッシュメモリ１０８に予め記憶されているこれらの音声処理の設定は、ユーザーが設定メニューで任意に変更することができる。例えば、図６（ａ）に示した音声処理の設定メニューにおいて、動画モードＡ、動画モードＢ、動画モードＣの３つの動画モードに対応して、音声入力の「サンプリングレート」と「量子化ビット数」の現在の設定値が表示されている。ユーザーは、動画モード毎のサンプリングレート値２５１，２５２，２５３の項目や量子化ビット数２５４，２５５，２５６の項目、或いは「ＯＫ」ボタン２５７や「キャンセル」ボタン２５８のいずれかを操作部１１３に含まれる十字キー２０４を操作して選択する。この時、選択された項目やボタン類は太枠で表示され、ユーザーはどの部分が選択されているかを知ることができる。そして、操作部１１３に含まれる確定ボタン２０５を押下すれば、選択した項目やボタン類の選択が確定する。例えば、図６（ａ）の動画モードＡの音声のサンプリングレートを変更したい場合は、動画モードＡの音声サンプリングレート「４４．１ｋＨｚ」の項目を十字キー２０４（上キー２０４ａ，下キー２０４ｂ，左キー２０４ｃ，右キー２０４ｄ）を操作して選択し、確定ボタン２０５を押下する。確定ボタン２０５を押下すると、図６（ｂ）に示すように、動画モードＡの音声のサンプリングレートの候補値がプルダウンメニューで表示される。ユーザーは、プルダウンメニューの候補値から設定したいサンプリングレートを十字キー２０４の上キー２０４ａおよび下キー２０４ｂを操作して選択し、確定ボタン２０５を押下する。例えば、プルダウンメニューの「１１．０２５ｋＨｚ」を選択して確定ボタン２０５を押下すると、図６（ｃ）に示すように、動画モードＡの音声サンプリングレートが１１．０２５ｋＨｚと表示される。表示された内容でＯＫの場合は、「ＯＫ」ボタン２５７を十字キー２０４で選択して確定ボタン２０５を押下する。また、変更した設定内容をキャンセルして終了する場合は、「キャンセル」ボタン２５８を十字キー２０４で選択して確定ボタン２０５を押下する。尚、キャンセルした場合は、変更前の設定値が適用される。また、同様の操作で、量子化ビット数の設定を変えることができる。さらに、動画モードＢおよび動画モードＣのサンプリングレートの設定や量子化ビット数の設定も同様に変えることができる。
【００３１】
ここで、記録Ｉ／Ｆ１１０に接続されているメモリカード１１０ｂに記憶される動画像ファイルの容量について説明する。例えば、図７（ａ）は、３つの動画モードＡ，Ｂ，Ｃにおいて音声処理の設定が同じ（サンプリングレート：４４．１ｋＨｚ、量子化ビット数：１６ｂｉｔ）で、動画のフレームレートが異なる（６０ｆｐｓ，３０ｆｐｓ，１５ｆｐｓ）場合の動画像ファイルの様子を示している。尚、図７（ａ）において、画像データと音声データは同じ間（例えば、５分間）の動画像を撮影した場合のデータ容量の割合を示す。従って、音声処理の設定は同じなので、音声データの容量は、動画モードの種類に依らず一定となるが、画像データの容量は、フレームレートに応じて変動し、動画像ファイルの容量全体に対する画像データと音声データとが割合いも変化する。
【００３２】
例えば、動画モードＡの場合は、動画像のフレームレートが６０ｆｐｓと高いので、画像データの容量も大きくなり、音声データに対する画像データの割合も大きい。動画モードＢの場合は、動画像のフレームレートが３０ｆｐｓに下がるので、音声データに対する画像データの割合が動画モードＡの場合より小さくなる。さらに、動画モードＣの場合は、動画像のフレームレートが１５ｆｐｓに下がるので、音声データに対する画像データの割合が動画モードＢの場合より小さくなる。
【００３３】
ここで、図７（ａ）に示すように、動画像のフレームレートが変わった場合でも音声処理の設定が同じ場合は、動画像ファイル全体に占める音声データの割合が大きくなり、動画像のフレームレートを低くして動画像ファイル全体の容量を削減しようとしても、音声データの容量は変わらないので動画像ファイル全体の容量の削減効果が低くなってしまうという課題がある。
【００３４】
そこで、本実施形態では、図７（ｂ）に示すように、動画像のフレームレートに応じて、音声処理の設定を変えて動画像ファイルを記録する。例えば、動画像のフレームレートが６０ｆｐｓの場合は音声のサンプリングレートは４４．１ｋＨｚ，量子化ビット数は１６ｂｉｔであるが、動画像のフレームレートが３０ｆｐｓの場合は音声のサンプリングレートを２２．０５ｋＨｚ，量子化ビット数を１２ｂｉｔに、さらに動画像のフレームレートが１５ｆｐｓの場合は音声のサンプリングレートを１１．０２５ｋＨｚ，量子化ビット数を８ｂｉｔにする。この結果、図７（ｂ）に示すように、動画像のフレームレートが低くなる（画像のファイル容量が小さくなる）に従って、音声のファイル容量も小さくなり、動画像ファイルの容量全体に対して画像データと音声データのファイル容量をバランス良く保つことができ、動画像自体のファイル容量の削減効果が高くなる。つまり、長時間の動画記録が可能になる。一般に、ユーザーが動画像のフレームレートを低くする場合は、長時間録画したい場合が多い。ところが、従来は動画像のフレームレートに依らず、音声処理の設定（サンプリングレートや量子化ビット数）が同じ設定であったため、音声データの容量は同じであった。これに対して、本実施形態では、動画像のフレームレートを低くした場合は、音声処理の設定を変える（サンプリングレートを低くくするか、量子化ビット数を少なくするかの少なくとも一方の設定を変える）ことによって、動画像ファイルの容量が少なくなるので、長時間録画が可能になる。尚、本実施形態では、動画像ファイルのフォーマットとして、例えば、モーションＪＰＥＧ規格などを想定している。
【００３５】
次に、本実施形態に係る電子カメラ１０１の動画撮影時のフローチャートについて図８を用いて説明する。図８のフローチャートは、ＣＰＵ１０９の内部に予め組み込まれたプログラムに従って動作する。尚、ステップＳ１０１の処理の前に、撮影者は、撮像装置１０１の電源ボタン２０１を押下して電源をＯＮする。ＣＰＵ１０９は、先に説明したように、撮影光学系１０２を介して撮像素子１０３が撮影する画像を液晶モニタ１１２にプレビュー表示する。撮影者は、このプレビュー表示を見ながら撮影する被写体を確認する。また、電子カメラ１０１は動画撮影モードに設定されているものとし、動画モード毎の音声処理の設定は、例えば図３で説明したように、フラッシュメモリ１０８に予め記憶されているものとする。以下、撮影者がレリーズボタン２０２を押下して、動画撮影処理を開始する処理から順に説明する。
【００３６】
（ステップＳ１０１）撮影者がレリーズボタン２０２を押下すると、動画撮影処理を開始する。
【００３７】
（ステップＳ１０２）ＣＰＵ１０９は、フラッシュメモリ１０８に記憶されている設定内容を参照して、動画モードに応じた動画像のフレームレートを設定する。例えば、動画モードＡに設定されている場合は、フレームレートが６０ｆｐｓになるように、ＴＧ１１４に指令して、撮像素子１０３およびＡＦＥ１０４で被写体を撮影する時のタイミング制御を行う。
【００３８】
（ステップＳ１０３）ＣＰＵ１０９は、フラッシュメモリ１０８に記憶されている設定内容（テーブル）を参照して、動画像のフレームレートに対応した音声処理の設定内容を読み出す。例えば、図３のテーブルがフラッシュメモリ１０８に記憶されている場合で動画モードＡの時は、音声処理のサンプリングレートが４４．１ｋＨｚで量子化ビット数が１６ｂｉｔであることがわかる。
【００３９】
（ステップＳ１０４）ＣＰＵ１０９は、フラッシュメモリ１０８から読み出した音声処理のサンプリングレートと量子化ビット数を設定する。具体的には、音声処理のサンプリングレートと量子化ビット数でアナログの音声信号をデジタルデータに変換するようＡ／Ｄ変換部１１７に指令する。
【００４０】
（ステップＳ１０５）ＣＰＵ１０９は、動画記録を開始する。つまり、撮像素子１０３で撮影する動画像とマイク１１５から入力される音声信号は、先に説明したように所定のフレームレート・画素数およびサンプリングレート・量子化ビット数で、それぞれ動画像データと音声データとに変換され、動画像ファイルとして記録Ｉ／Ｆ１１０に接続されているメモリカード１１０ｂに記録を開始する。尚、動画像ファイルをフラッシュメモリ１０８に記憶するようにしても構わない。
【００４１】
（ステップＳ１０６）ＣＰＵ１０９は、動画像の撮影を終了するか否かを判別する。つまり、ユーザーがレリーズボタン２０２を再び押下したか否かを判別する。レリーズボタン２０２が押下された場合はステップＳ１０７に進んで動画撮影を終了し、レリーズボタン２０２が押下されていない場合はステップＳ１０５に戻って、動画撮影を継続する。
【００４２】
（ステップＳ１０７）ＣＰＵ１０９は、動画像の撮影を終了する。つまり、記録Ｉ／Ｆ１１０に接続されているメモリカード１１０ｂに記録されている動画像ファイルをクローズして、動画像の撮影を終了する。
【００４３】
このように、本実施形態に係る電子カメラ１０１は、動画像と音声を記録する動画撮影モードにおいて、動画像のフレームレートに応じて自動的に音声のサンプリングレートおよび量子化ビット数の少なくとも一方を可変するので、撮影する動画像のフレームレートに応じて記録するファイル容量を削減することができる。
【００４４】
特に、動画像のフレームレートが遅い場合は、Ａ／Ｄ変換部１１７で音声信号をデジタル信号に変換する際に、低いサンプリングレートあるいは少ない量子化ビット数の少なくとも一方で行い、動画像のフレームレートが速い場合は、Ａ／Ｄ変換部１１７で音声をデジタル信号に変換する際に、高いサンプリングレートあるいは多い量子化ビット数の少なくとも一方で行うようにしたので、動画像の品質が高い場合は音声の品質も高くして記録し、動画像の品質が低い場合は音声の品質も低くして記録するので、ユーザーに違和感を与えることなく、効率よく動画像ファイルの容量を削減することができる。
【００４５】
尚、本実施形態では、動画像のフレームレートの設定と、音声処理のサンプリングレートおよび量子化ビット数の設定との関係を示すテーブルを１つだけ設けたが、画像のフレームレートを優先する画像優先モード用テーブルと、音質を優先する音声優先モード用テーブルなど複数のテーブルを設けても構わない。この場合は、電子カメラ１０１の設定メニューにおいて、予め画像優先モード用テーブルまたは音声優先モード用テーブルを選択して、選択内容をフラッシュメモリ１０８に記憶しておく。例えば、画像優先モードの場合は、図３に示した音声処理の設定よりも低いサンプリングレートあるいは少ない量子化ビット数の少なくとも一方の設定にする。図９（ａ）は画像優先モードのテーブル例である。図９（ａ）において、図３のテーブルと比較すると、例えば、動画モードＡの音声のサンプリングレートは４４．１ｋＨｚから２２．０５ｋＨｚになり、量子化ビット数は１６ｂｉｔから１２ｂｉｔになっており、同じ動画像ファイルの容量でも画質を落とさずに長時間録画が可能になる。また、図９（ｂ）は音声優先モードのテーブル例である。図９（ｂ）において、図３のテーブルと比較すると、例えば、動画モードＢの音声のサンプリングレートは２２．０５ｋＨｚから４４．１ｋＨｚになり、量子化ビット数は１２ｂｉｔから１６ｂｉｔになっており、動画像のフレームレートを遅くした場合でも音声品質を落とさずに録画がすることができ、コンサートなどを録画する際に有効である。このように、ユーザーは画像優先モードか音声優先モードかを選択するだけで、それぞれの用途に適した音声処理の設定を行うことができ、ユーザーは音声処理の複雑なパラメータを理解する必要がない。
【００４６】
また、本実施形態では、動画像のフレームレートに応じて音声処理のサンプリングレートと量子化ビット数の少なくともいずれか一方を変えるようにしたが、音声圧縮方式や音声圧縮率を変えるようにしても構わない。
【００４７】
さらに、本実施形態では、動画像撮影中は動画像のフレームレートを６０ｆｐｓなどの固定にしたが、動画像撮影中に動画像のフレームレートが変化するような撮影モードの場合は、変化する動画像のフレームレートに応じて、自動的に音声処理の設定を変えるようにしても構わない。この場合は、動画像のフレームレートが遅くなる場合は、Ａ／Ｄ変換部１１７のサンプリングレートを現在値より低くする制御あるいは量子化ビット数を現在値より少なくする制御の少なくとも一方の制御を行い、動画像のフレームレートが速くなる場合は、Ａ／Ｄ変換部１１７のサンプリングレートを現在値より高くする制御あるいは量子化ビット数を現在値より多くする制御の少なくとも一方の制御を行う。これにより、動画像のフレームレートに応じて、適宜、音声処理の設定を変えるので、さらに効率よく動画像ファイルの容量を削減することができる。
【図面の簡単な説明】
【００４８】
【図１】第１の実施形態に係る電子カメラ１０１のブロック図である。
【図２】電子カメラ１０１の外観を示す説明図である。
【図３】動画像のフレームレートと音声処理の設定例１を示す説明図である。
【図４】動画像のフレームレートと音声処理の設定例２を示す説明図である。
【図５】動画像のフレームレートと音声処理の設定例３を示す説明図である。
【図６】音声処理設定メニュー例を示す説明図である。
【図７】動画像ファイル容量を示す説明図である。
【図８】動画撮影モードの処理を示すフローチャートである。
【図９】画像優先モードと音声優先モードのテーブル例を示す説明図である。
【符号の説明】
【００４９】
１０１・・・電子カメラ           １０２・・・撮影光学系
１０３・・・撮像素子             １０４・・・ＡＦＥ
１０５・・・バッファメモリ       １０６・・・画像処理部
１０８・・・フラッシュメモリ     １０９・・・ＣＰＵ
１１０・・・記録ＩＦ             １１１・・・モニタ駆動部
１１２・・・液晶モニタ           １１３・・・操作部
１１４・・・ＴＧ                 １１５・・・マイク
１１６・・・音声入力部           １１７・・・Ａ／Ｄ変換部
１１８・・・音声処理部           ２０１・・・電源ボタン
２０２・・・レリーズボタン       ２０３・・・ズームボタン
２０４・・・十字キー             ２０４ａ・・・上キー
２０４ｂ・・・下キー             ２０４ｃ・・・左キー
２０４ｄ・・・右キー             ２０５・・・確定ボタン
【図１】
2010068028.tif 000003
【図２】
2010068028.tif 000004
【図３】
2010068028.tif 000005
【図４】
2010068028.tif 000006
【図５】
2010068028.tif 000007
【図６】
2010068028.tif 000008
【図７】
2010068028.tif 000009
【図８】
2010068028.tif 000010
【図９】
2010068028.tif 000011